(57)【要約】【課題】お出迎え時間以外でも検知領域に入った人に眩しさを感じさせることなく照明負荷を点灯できるお出迎え機能付き感熱自動スイッチを提供する。【解決手段】お出迎え機能付感熱自動スイッチＡは、検知領域における人の存否を検出する人感センサ１と、人感センサ１により検知領域内の人の存在が検知されると別途に設けられた照明負荷Ｌを点灯させる制御信号を出力する信号処理部４と、制御信号に応じて照明負荷Ｌの状態を制御する負荷制御部６とを備え、信号処理部４は、人感センサ１の検知出力に関わりなく照明負荷Ｌを強制的に点灯させるお出迎え時間帯が開始されると照明負荷Ｌを点灯させ、お出迎え時間帯が終了すると照明負荷Ｌを消灯させるように負荷制御部６へ指示するお出迎え機能と、お出迎え時間帯以外で人感センサ１により検知領域内の人の存在が検知されると負荷制御部６を用いて照明負荷Ｌを調光点灯させる機能とを有している。【選択図】　　　図１
2004031094.tif 000002
【特許請求の範囲】
【請求項１】
検知領域における人の存否を検出する人感センサと、人感センサにより検知領域内の人の存在が検知されると別途に設けられた照明器具の照明負荷を点灯させる制御信号を出力する信号処理部と、制御信号に応じて照明器具の照明負荷の状態を制御する負荷制御部と、人感センサの検知出力に関わりなく照明負荷を強制的に点灯させる時間帯を設定するお出迎え時間設定部とを備え、信号処理部は、お出迎え時間帯が開始されると照明負荷を点灯させてお出迎え時間帯が終了すると照明負荷を消灯させるように負荷制御部へ指示するお出迎え機能と、お出迎え時間帯以外で人感センサにより検知領域内の人の存在が検知されると負荷制御部により照明負荷を調光点灯させる機能とを有することを特徴とするお出迎え機能付感熱自動スイッチ。
【請求項２】
信号処理部は、外部から入力された調光レベル設定信号に応じて、お出迎え点灯時間帯以外で照明負荷を調光点灯する際の光出力を変化させることを特徴とする請求項１記載のお出迎え機能付感熱自動スイッチ。
【請求項３】
現在の時間をカウントする２４時間タイマを設け、信号処理部は、２４時間タイマによりカウントされる現在の時間をもとに、お出迎え点灯時間帯以外で照明負荷を調光点灯する際の光出力を変化させることを特徴とする請求項１又は請求項２の何れかに記載のお出迎え機能付感熱自動スイッチ。
【請求項４】
周囲の明るさを検出する明るさセンサを備え、お出迎え時間帯の開始時間を、明るさセンサの検出した明るさが所定の点灯開始照度よりも暗くなってから、人感センサが初めて人の存在を検知した時間とすることを特徴とする請求項１乃至請求項３の何れかに記載のお出迎え機能付感熱自動スイッチ。
【請求項５】
周囲の明るさを検出する明るさセンサと、お出迎え時間帯の開始時間を明るさセンサの検出した明るさが所定の点灯開始照度よりも暗くなった時間、又は、明るさセンサの検出した明るさが所定の点灯開始照度よりも暗くなってから人感センサが初めて人の存在を検知した時間の何れかに切り替える切替手段とを備えて成ることを特徴とする請求項１乃至請求項３の何れかに記載のお出迎え機能付感熱自動スイッチ。
【請求項６】
周囲の明るさを検出する明るさセンサを備え、負荷制御部は、お出迎え点灯時間帯以外で照明負荷を調光点灯する際に、明るさセンサの検出した明るさをもとに、点灯時の周囲の明るさが所定の設定照度になるように照明負荷の光出力を制御することを特徴とする請求項１記載のお出迎え機能付感熱自動スイッチ。
【請求項７】
負荷制御部は、お出迎え点灯時間帯以外で照明負荷を調光点灯する際に、外部から入力された照度設定信号と、明るさセンサの検出した明るさとをもとに、点灯時の周囲の明るさが前記照度設定信号による設定照度になるように照明負荷の光出力を制御することを特徴とする請求項５記載のお出迎え機能付感熱自動スイッチ。
【請求項８】
スイッチ本体と別体に形成され遠隔に設置される外部設定器に、お出迎え機能に関わる設定値を入力するための入力操作部を設けたことを特徴とする請求項１記載のお出迎え機能付感熱自動スイッチ。
【請求項９】
外部設定器とスイッチ本体との間を信号線で接続し、外部設定器に、入力操作部を用いて入力された設定値を信号線を介してスイッチ本体に出力する設定値出力部を設けるとともに、スイッチ本体に、信号線を介して設定値が入力される設定値入力部を設けたことを特徴とする請求項８記載のお出迎え機能付感熱自動スイッチ。
【請求項１０】
外部設定器に、入力操作部を用いて入力された設定値をワイヤレス信号にて外部へ送信するワイヤレス送信部を設けるとともに、スイッチ本体に、ワイヤレス信号にて送信された設定値を受信するワイヤレス受信部を設けたことを特徴とする請求項８記載のお出迎え機能付感熱自動スイッチ。
【請求項１１】
外部設定器に、建物の壁に取り付けるための取付手段を設けたことを特徴とする請求項９記載のお出迎え機能付感熱自動スイッチ。
【請求項１２】
外部設定器の入力操作部は押釦スイッチにより構成され、押釦スイッチを押す回数に応じて設定値を変化させることを特徴とする請求項８乃至請求項１１の何れかに記載のお出迎え機能付感熱自動スイッチ。
【請求項１３】
スイッチ本体は天井面に配設されており、外部設定器から出力された設定値が入力される設定値入力部を、スイッチ本体とは別体であって天井面に配設される器体の内部に収納したことを特徴とする請求項８乃至請求項１２の何れかに記載のお出迎え機能付感熱自動スイッチ。
【発明の詳細な説明】
【０００１】
【発明の属する技術分野】
本発明は、お出迎え機能付感熱自動スイッチに関するものである。
【０００２】
【従来の技術】
従来より、所定の検知エリア内での人の存否を検出する人感センサと、周囲照度を検出する明るさセンサと、両端子間に商用電源及び照明負荷（白熱灯）の直列回路が接続されたトライアックと、トライアックを位相制御することで照明負荷を調光点灯させる負荷制御部とを備え、明るさセンサの検出した明るさが所定の点灯開始照度よりも暗くなると、照明負荷を例えば１０％の光出力で常夜点灯させ、その後人感センサが人の存在を検知すると、所定の動作保持時間だけ照明負荷を定格出力で点灯させる感熱自動スイッチが提供されており、このような感熱自動スイッチを例えば住宅の軒下などに設置しておけば、夜間などに家人や訪問客を人感センサにより検知して、照明負荷を点灯させることができる。
【０００３】
図２２（ｃ）は照明負荷の点灯状態を示しており、この感熱自動スイッチ（お出迎え機能無し、白熱灯専用）では、周囲の明るさが点灯開始照度よりも暗くなる時刻ｔ１１から、点灯開始照度よりも明るくなる時刻ｔ１７までの間、照明負荷が１０％の光出力で常夜点灯され、その間に人を検知すると（時刻ｔ１２，ｔ１５）、照明負荷を１００％の光出力で所定の動作保持時間点灯させていた。この場合、家人や訪問客が現れる可能性の低い深夜の時間帯にも照明負荷が調光状態で点灯されるため、無駄な電力が消費されるという問題があった。
【０００４】
そこで、人感センサ及び明るさセンサの検出出力に基づいて照明負荷の点灯状態を制御するとともに、お出迎え時間（１日のうちで照明負荷を点灯させる所望の時間帯であるお出迎え時間帯）を設定して、このお出迎え時間中は人感センサの検知出力に関わりなく照明負荷（白熱灯）を強制的に点灯させるようにしたお出迎え機能付感熱自動スイッチが提供されている。
【０００５】
以下に、従来のお出迎え機能付感熱自動スイッチ（お出迎え段調光点灯形、白熱灯専用）の動作を図２２（ａ）に基づいて説明する。
【０００６】
先ず、お出迎え時間帯が設定されている場合について説明する。周囲が点灯開始照度よりも暗くなって（周囲照度が「暗」の状態）、お出迎え時間帯が開始されると（時刻ｔ１１）、感熱自動スイッチは人感センサの出力に関係なく、照明負荷を例えば１０％で調光点灯させる。そして、時刻ｔ１２で人感センサにより人が検知されると、照明負荷を定格点灯させ、その後動作保持時間が終了すると、照明負荷の光出力を１０％に低下させ（時刻ｔ１３）、時刻ｔ１４でお出迎え時間帯が終了すると照明負荷を消灯させていた。このように、お出迎え時間中は照明負荷を常時点灯させておくことができるので、この照明光によって家人や訪問客を出迎えることができ、さらに家人や訪問客を人感センサにより検知する以前から照明負荷が点灯しているので、家人や訪問客が目の眩みを起こしたり驚いたりするのを防止できる。
【０００７】
また、お出迎え時間帯以外の時間帯（時刻ｔ１４〜ｔ１７）では、時刻ｔ１５で人感センサにより人体が検知されると、照明負荷を定格点灯させ、動作保持時間の途中で、照明負荷の光出力を例えば３０％に低下させることによって消灯が近づいた予告を行い（予告減光）、動作保持時間が終了すると照明負荷Ｌを消灯させていた（時刻ｔ１６）。
【０００８】
また、照明負荷として白熱灯又は蛍光灯点灯装置の何れかが接続される感熱自動スイッチ（お出迎え点灯形、蛍白両用）の場合は、図２２（ｂ）に示すように、時刻ｔ１１でお出迎え点灯時間が開始されると、人感センサの出力に関係なく、蛍光灯点灯装置に電力を供給して、蛍光灯を定格点灯させ、時刻ｔ１４でお出迎え時間が終了すると、蛍光灯点灯装置への電力供給を停止して、蛍光灯を消灯させていた。そして、お出迎え時間帯以外の時間帯では、時刻ｔ１５で人感センサが人の存在を検知すると、蛍光灯点灯装置に電力を供給して、蛍光灯を定格点灯させるとともに、動作保持時間が経過すると、蛍光灯点灯装置への電力供給を停止して、蛍光灯を消灯させていた（ｔ１６）。
【０００９】
以上の動作をまとめると表１に示すようになる。
【００１０】
【表１】
2004031094.tif 000003
【００１１】
【発明が解決しようとする課題】
上記構成のお出迎え機能付感熱自動スイッチＡでは、お出迎え時間が終了すると照明負荷を消灯させ、その後人感センサ１が人を検知すると照明負荷を定格点灯させているので、真夜中など周囲が暗い場合に人が人感センサ１の検知領域内に入ると、照明負荷が定格出力で点灯されるため、人によっては眩しく感じて、目が眩んだり、驚いてしまうという不具合があり、また必要以上に明るい光出力で点灯されるため、無駄に電力が消費されるという問題もあった。
【００１２】
本発明は上記問題点に鑑みて為されたものであり、その目的とするところは、お出迎え時間以外でも検知領域に入った人に眩しさを感じさせることなく照明負荷を点灯できるお出迎え機能付き感熱自動スイッチを提供することにある。
【００１３】
【課題を解決するための手段】
上記目的を達成するために、請求項１の発明では、検知領域における人の存否を検出する人感センサと、人感センサにより検知領域内の人の存在が検知されると別途に設けられた照明器具の照明負荷を点灯させる制御信号を出力する信号処理部と、制御信号に応じて照明器具の照明負荷の状態を制御する負荷制御部と、人感センサの検知出力に関わりなく照明負荷を強制的に点灯させる時間帯を設定するお出迎え時間設定部とを備え、信号処理部は、お出迎え時間帯が開始されると照明負荷を点灯させてお出迎え時間帯が終了すると照明負荷を消灯させるように負荷制御部へ指示するお出迎え機能と、お出迎え時間帯以外で人感センサにより検知領域内の人の存在が検知されると負荷制御部により照明負荷を調光点灯させる機能とを有することを特徴とする。
【００１４】
請求項２の発明では、請求項１の発明において、信号処理部は、外部から入力された調光レベル設定信号に応じて、お出迎え点灯時間帯以外で照明負荷を調光点灯する際の光出力を変化させることを特徴とする。
【００１５】
請求項３の発明では、請求項１又は請求項２の発明において、現在の時間をカウントする２４時間タイマを設け、信号処理部は、２４時間タイマによりカウントされる現在の時間をもとに、お出迎え点灯時間帯以外で照明負荷を調光点灯する際の光出力を変化させることを特徴とする。
【００１６】
請求項４の発明では、請求項１乃至請求項３の何れかの発明において、周囲の明るさを検出する明るさセンサを備え、お出迎え時間帯の開始時間を、明るさセンサの検出した明るさが所定の点灯開始照度よりも暗くなってから、人感センサが初めて人の存在を検知した時間とすることを特徴とする。
【００１７】
請求項５の発明では、請求項１乃至請求項３の何れかの発明において、周囲の明るさを検出する明るさセンサと、お出迎え時間帯の開始時間を明るさセンサの検出した明るさが所定の点灯開始照度よりも暗くなった時間、又は、明るさセンサの検出した明るさが所定の点灯開始照度よりも暗くなってから人感センサが初めて人の存在を検知した時間の何れかに切り替える切替手段とを備えて成ることを特徴とする。
【００１８】
請求項６の発明では、請求項１の発明において、周囲の明るさを検出する明るさセンサを備え、負荷制御部は、お出迎え点灯時間帯以外で照明負荷を調光点灯する際に、明るさセンサの検出した明るさをもとに、点灯時の周囲の明るさが所定の設定照度になるように照明負荷の光出力を制御することを特徴とする。
【００１９】
請求項７の発明では、請求項５の発明において、負荷制御部は、お出迎え点灯時間帯以外で照明負荷を調光点灯する際に、外部から入力された照度設定信号と、明るさセンサの検出した明るさとをもとに、点灯時の周囲の明るさが照度設定信号による設定照度になるように照明負荷の光出力を制御することを特徴とする。
【００２０】
請求項８の発明では、請求項１の発明において、スイッチ本体と別体に形成され遠隔に設置される外部設定器に、お出迎え機能に関わる設定値を入力するための入力操作部を設けたことを特徴とする。
【００２１】
請求項９の発明では、請求項８の発明において、外部設定器とスイッチ本体との間を信号線で接続し、外部設定器に、入力操作部を用いて入力された設定値を信号線を介してスイッチ本体に出力する設定値出力部を設けるとともに、スイッチ本体に、信号線を介して設定値が入力される設定値入力部を設けたことを特徴とする。
【００２２】
請求項１０の発明では、請求項８の発明において、外部設定器に、入力操作部を用いて入力された設定値をワイヤレス信号にて外部へ送信するワイヤレス送信部を設けるとともに、スイッチ本体に、ワイヤレス信号にて送信された設定値を受信するワイヤレス受信部を設けたことを特徴とする。
【００２３】
請求項１１の発明では、請求項９の発明において、外部設定器に、建物の壁に取り付けるための取付手段を設けたことを特徴とする。
【００２４】
請求項１２の発明では、請求項８乃至請求項１１の何れかの発明において、外部設定器の入力操作部は押釦スイッチにより構成され、押釦スイッチを押す回数に応じて設定値を変化させることを特徴とする。
【００２５】
請求項１３の発明では、請求項８乃至請求項１２の何れかの発明において、スイッチ本体は天井面に配設されており、外部設定器から出力された設定値が入力される設定値入力部を、スイッチ本体とは別体であって天井面に配設される器体の内部に収納したことを特徴とする。
【００２６】
【発明の実施の形態】
本発明の実施の形態を図面に基づいて説明する。
【００２７】
（実施形態１）
本実施形態では、天井に設置され別途に設置される照明器具の照明負荷を制御する場合について説明するが、まず、全体構成について説明する。このお出迎え機能付き感熱自動スイッチＡは、天井への取り付けに適した構造を有しており、図３及び図４に示すように、外形が円形状であるフランジ部３１の上面中央部に筒部３２を備えたボディ３０と、筒部３２の上に結合されるカバー４０とからなるスイッチ本体を備えている。ボディ３０における筒部３２の上縁には４個の組立片３３が上向きに突設され、各組立片３３にはそれぞれ組立孔３４が開口している。一方、カバー４０の下部側面には組立爪４１が突設されており、組立孔３４に組立爪４１が係合することによって、ボディ３０とカバー４０とが結合される。
【００２８】
ボディ３０には、玉状に形成された可動体５０が取り付けられており、可動体５０の中には、焦電型赤外線センサよりなる人感センサ１（図１参照）、ＣｄＳよりなる明るさセンサ２（図１参照）、発光ダイオードよりなる動作表示灯３（図１参照）などを実装したプリント基板よりなる回路基板（図示せず）が納装されている。
【００２９】
可動体５０において人感センサ１の受光面の前面側には半球状に形成された受光レンズ５１が設けられ、受光レンズ５１を通して人感センサ１に熱線が入射するようになっている。そして、可動体５０は、フランジ部３１の中央部に形成された開口窓３８から受光レンズ５１を露出させる形でボディ３０に取り付けられている。受光レンズ５１は赤外線が透過しやすいように高密度ポリエチレン樹脂を用いて構成されている。また、赤外線が透過し、明るさセンサ２によって周囲照度が検出でき、しかも動作表示灯３の点灯が外部から視認可能となるように、受光レンズ５１は乳白色に形成されている。
【００３０】
なお、受光レンズ５１は、多数のレンズの集合体であって、方向に応じて人感センサ１の集光量に変化を持たせることによって、熱線を放射する熱源の微小移動を熱線量の変化として検出することができるようになっている。したがって、人が存在する間は人感センサ１から絶えず出力を得ることが可能になる。なお、ボディ３０に対して可動体５０の向きを変えることが可能になっている。
【００３１】
ここで、図６は人感センサ１の検知領域を示しており、感熱自動スイッチＡを天井面に設置して、可動体５０の向きを真下に向けた場合、天井面からの距離が１．７ｍ、２．０ｍ及び２．５ｍの水平面における検知領域は、それぞれ、感熱自動スイッチＡの直下の地点を中心とする直径が２．４ｍ、２．８ｍ、及び３．５ｍの円形領域となる。また、図５に示すように受光レンズ５１の前面側には赤外線及び可視光に対して透過性を有するとともに、受光レンズ５１の受光範囲を制限する遮光フード５２が着脱自在に取り付けられるようになっており、遮光フード５２を取り付けることで人感センサ１の検知領域を狭めることができ、例えば感熱自動スイッチＡを天井面に設置して、可動体５０の向きを真下に向けた場合には、天井面からの距離が１．７ｍ、２．０ｍ及び２．５ｍの水平面における検知領域を、それぞれ、感熱自動スイッチＡの直下の地点を中心とする直径が１．１ｍ、１．３ｍ及び１．６ｍの円形領域に制限できる。
【００３２】
また、ボディ３０におけるフランジ部３１には、天井内に配置された埋込ボックスに螺合するボックスねじや、天井にスイッチ本体を直付けする際に用いるタッピンねじを挿通するための取付孔３５が２個形成されている。両取付孔３５はフランジ部３１の中心に対して互いに反対側に設けられ、両取付孔３５を結ぶ方向に直交する長軸を有した長孔状に形成されている。また、両取付孔３５を通る直線に直交する直線であってフランジ部３１の中心を通る直線上には、天井パネル８０（図３（ａ）（ｂ）参照）に固定する際に用いる２個の取付具６０に設けた引締ねじ６１をそれぞれ露出させる２個の操作孔３６が形成されている。操作孔３６はフランジ部３１の中心側が細幅となり周辺側が広幅となった、いわゆるだるま孔状に形成されている。
【００３３】
取付具６０は、フランジ部３１の上面に設けた装着溝（図示せず）に下端部が嵌入する支柱６２と、支柱６２内に挿通されて上端部が支柱６２の上端部に保持された引締ねじ６１と、引締ねじ６１に螺合した挟み片６３とを備えている。支柱６２はフランジ部３１の外周側の一面が開放されており、さらに支柱６２の上端部側壁には挟み片６３を待避させる切欠部６４が形成されている。切欠部６４は支柱６２の開口面に向かって左側の側壁上端部に形成されている。而して、挟み片６３が切欠部６４に待避している状態で、引締ねじ６１を右回りに回転させると、引締ねじ６１の回転に伴って挟み片６３が切欠部６４から出て支柱６２よりも外側に突出するとともに、支柱６２の側壁によって回転止めされた状態で下方に移動することになる。つまり、引締ねじ６１を締め付けると、挟み片６３がフランジ部３１との距離を小さくする向きに移動する。逆に、引締ねじ６１を左回りに回転させると、挟み片６３が上方に移動し切欠部６４に待避される。
【００３４】
取付具６０はフランジ部３１に対して着脱可能であって、天井パネル８０にスイッチ本体を取り付けるときには、取付具６０をフランジ部３１に固定し、天井パネル８０に形成した透孔８１に筒部３２および取付具６０を挿入した状態で引締ねじ６１を回転させればよい。このような操作によって、フランジ部３１と挟み片６３との間で透孔８１の周囲の天井パネル８０を挟持することになり、スイッチ本体を天井パネル８０に固定することができるのである。なお、透孔８１はホルソーなどを用いて形成することができるように円形とするのが望ましいから、筒部３２と取付具６０とを含む領域の外周がほぼ円内に入るように、筒部３２の外形は円形の両側を切り落とした長円形状とし、切り落とした部位に取付具６０が配置されるようにしてある。
【００３５】
スイッチ本体を天井パネル８０に取り付けた状態ではフランジ部３１の下面が露出することのないように、フランジ部３１の下面側を覆う化粧プレート７０が装着されている。化粧プレート７０の中央部にはボディ３０に設けた開口窓に対応する部位で窓孔が形成されている。したがって、化粧プレート７０をボディ３０に装着した状態で受光レンズ５１が窓孔を通して化粧プレート７０の下面側に露出することになる。また、フランジ部３１の下面には、後述する点灯開始照度設定部８、動作保持時間設定部９、お出迎え時間設定部１０、及び１−２操作機能有無設定部１１の操作部１８，１９，２０，２１が露設されており、これらの操作部１８，１９，２０，２１はフランジ部３１の下面側に取り付けられるプレート７０によって覆われている。なお、化粧プレート７０はフランジ部３１に凹凸係合するように形成されている。
【００３６】
ところで、ボディ３０及びカバー４０からなるスイッチ本体の内部には、外部電線を接続するための３組の端子（図示せず）が実装されたプリント基板よりなる回路基板（図示せず）が収納されている。これらの端子はいわゆる速結端子であり、回路基板に実装された端子板と、端子板との間に外部電線を保持する鎖錠ばねと、鎖錠ばねにより保持されている外部電線を外す際に操作される解除釦とからなる。鎖錠ばねは弾性を有する金属板を曲成することにより形成したものであり、ばね力によって外部電線を端子板との間に挟持し、かつ端縁を外部電線に食い込ませることによって外部電線を抜け止めする。解除釦は外部電線を抜け止めしている鎖錠ばねを外部電線から引き離すために設けられている。尚、外部電線は、カバー４０の上面に形成した電線挿入口（図示せず）を通してスイッチ本体の内部に挿入されて、端子板と鎖錠ばねとの間に挟持される。また、解除釦は電線挿入口に隣接して設けた操作孔（図示せず）にドライバの先端部などを挿入することによって操作することができるようになっている。そして、カバー４０には電線挿入口および操作孔を必要に応じて覆うことができるように、端子カバー４５が着脱自在に装着される。上述のように、スイッチ本体を天井に取り付けるには、埋込ボックスを用いる他に、直付けしたり取付具６０を用いたりする場合があるから、埋込ボックスを用いない場合には、電線挿入口や操作孔にほこりや水滴などが入ることのないように、端子カバー４５を取り付けるのである。
【００３７】
次に、回路部の構成を図１のブロック図に基づいて説明する。本実施形態のお出迎え機能付感熱自動スイッチＡは、商用電源ＡＣを接続するための一対の電源端子Ｔ１，Ｔ１と、白熱灯のような照明負荷Ｌを接続するための負荷端子Ｔ２，Ｔ２と、本実施形態の感熱自動スイッチＡを親器として１乃至複数台の子器を接続するための一対の子器端子Ｔ３，Ｔ３とを備えており、内部電源は電源端子Ｔ１，Ｔ１を介して供給される商用電源ＡＣを安定化電源部７で安定化することによって供給されている。また、電源端子Ｔ１，Ｔ１の一方と負荷端子Ｔ２，Ｔ２の一方とは電気的に接続され、負荷制御部６を構成するトライアックが電源端子Ｔ１，Ｔ１の他方と負荷端子Ｔ２，Ｔ２の他方との間に挿入されており、信号処理部４によりトライアックを位相制御することで、白熱灯への供給電力を変化させて、白熱灯を調光点灯するようになっている。ここにおいて、電源端子Ｔ１，Ｔ１、負荷端子Ｔ２，Ｔ２、子器端子Ｔ３，Ｔ３は、それぞれ上述した速結端子により構成されている。
【００３８】
マイクロコンピュータからなる信号処理部４には、焦電型赤外線センサからなり人体から放射される熱線を検出することによって検知領域における人の存否を検出する人感センサ１と、例えばＣｄＳからなり周囲の明るさを検出する明るさセンサ２と、子器端子Ｔ３，Ｔ３を介して子器からの検知信号が入力される子器入力部５とが接続されており、人感センサ１と明るさセンサ２と子器入力部５との出力に基づいて負荷制御部６を構成するトライアックを位相制御することで、照明負荷Ｌ（白熱灯）を調光点灯させている。そこで、信号処理部４には、トライアックを位相制御するために、電源端子Ｔ１，Ｔ１間に接続された商用電源ＡＣの電圧波形のゼロクロス点を検出するゼロクロス信号回路１２が接続されている。
【００３９】
なお、子器は人感センサを備えており、人感センサによって検知エリア内の人を検知したときに信号線の線間電圧を変化させることによって親器であるお出迎え機能付き感熱自動スイッチＡに人の検知を報知できるようにしてある。すなわち、子器には、検知エリア内の人を検知したときに信号線の線間電圧を変化させるように構成されたセンサ回路が設けられているのである。このように、子器での人の検知の有無に対応して信号線の線間電圧が２段階に変化するのであって、この電圧変化による２値信号がお出迎え機能付き感熱自動スイッチＡの子器入力部５に伝送されるのである。子器入力部５では、子器端子Ｔ３，Ｔ３に接続される信号線の線間電圧を基準電圧と比較し、基準電圧との大小関係によって子器での人の検知の有無を判定し、この判定結果を信号処理部４に入力するのである。したがって、親器に子器を接続すれば、親器および子器に設けた人感センサによって人体から発生する熱線を検知することによって、照明負荷Ｌをオンオフさせることができるのである。
【００４０】
また信号処理部４には、人感センサ１により人から放射される熱線が検知された時などに点灯する発光ダイオードのような動作表示灯３が接続され、さらに人感センサ１による検知出力に応じて照明負荷を点灯させる際の周囲照度の規定値となる点灯開始照度を設定する点灯開始照度設定部８と、人感センサ１によって人が検知されなくなってから照明負荷を消灯させるまでの動作保持時間（照明負荷の点灯を保持する時間）を設定するための動作保持時間設定部９とが接続されている。
【００４１】
上述の点灯開始照度設定部８としては信号処理部４に回転式可変抵抗器を接続してあり、点灯開始照度（規定値）を５〔ｌｘ〕〜２００〔ｌｘ〕の範囲で調節できるようになっている。図７に示すように、点灯開始照度設定部８の操作部１８に被せた摘み１８ａを「切」、「明るめ」、「お出迎えでおすすめ」、「暗め」という表記の内、「暗め」という表記の位置まで回転させると点灯開始照度が例えば約５〔ｌｘ〕に設定され、「明るめ」という表記の位置まで回転させると点灯開始照度が例えば約２００〔ｌｘ〕に設定される。また摘み１８ａを「切」という表記の位置まで回転させると、明るさセンサ２の出力に関係なく、人感センサ１と子器入力部５との出力のみに基づいて動作することになる。
【００４２】
また、動作保持時間設定部９としては信号処理部４に、可変抵抗器およびスイッチを接続してあり、動作保持時間を１０秒〜３０分の範囲で段階的に調節できるようになっている。図８に示すように動作保持時間設定部９の操作部１９を「切」、「１０秒」、「３０秒」、「１分」、「２分」、「３分」、「１５分」、「３０分」、「連続入」という表記の内、「１０秒」、「３０秒」、「１分」、「２分」、「３分」、「１５分」、「３０分」という表記の位置に回転させることで、動作保持時間を１０秒、３０秒、１分、２分、３分、１５分、３０分と段階的に調整することができる。さらに、操作部１９を「切」という表記の位置まで回転させることで照明負荷Ｌを常時オンさせる連続入モードを選択でき、「連続入」という表記の位置まで回転させることで照明負荷Ｌを常時オフさせる切モードを選択できるようになっている。従って、連続入モードを選択すれば照明負荷Ｌを連続点灯させることができ、施工後の配線確認作業が容易になる。また、切モードを選択すれば照明負荷Ｌの管球を交換する際の安全を確保することができる。尚、上述の動作表示灯３は、人感センサ１の検知出力に同期して点灯し、照明負荷Ｌの連続点灯時には連続点灯し、電源投入後約４０秒間は点滅するように信号処理部４によって制御されるようになっている。
【００４３】
また信号処理部４には、人感センサ１の検知出力に関わりなく照明負荷Ｌを強制的に点灯させるお出迎え時間帯（１日のうちで照明負荷を点灯させる所望の時間帯であるお出迎え時間帯）の終了時間を設定するためのお出迎え時間設定部１０が接続されており、お出迎え時間設定部１０の設定値を用いて所定の演算を行うことにより終了時間が求められる。図９に示すように、お出迎え時間設定部１０の操作部２０に被せた摘み２０ａの周りには「切」、「夜まで」、「深夜まで」、「朝まで」という表記がなされており、お出迎え時間の終了時間は地域やその日の天候などで多少（約１時間程度）の違いはあるが、図中矢印ａの位置まで摘み２０ａを回転させると終了時間が２０時頃に設定される。また、摘み２０ａを矢印ｂの位置まで回転させると終了時間が２３時３０分頃に設定され、矢印ｃの位置まで回転させると０時頃に設定され、矢印ｄの位置まで回転させると翌日の３時頃に設定され、矢印ｅの位置まで回転させると翌日の６時頃に設定されるようになっている。また、摘み２０ａを「切」の位置まで回転させるとお出迎え機能が働かないようになっている。尚、お出迎え時間の開始時間は、明るさセンサ２の検出した周囲の明るさが、点灯開始照度設定部８で設定された点灯開始照度よりも暗くなる時間で決定される。
【００４４】
また更に、信号処理部４には、商用電源ＡＣと照明負荷Ｌとの間に挿入されたいわゆる片切りの壁スイッチの操作部の瞬時連続操作（電源オフ操作から２秒以内にオン操作を行うような操作）の入力を有効にするか無効にするかを切り替えるための１−２操作機能有無設定部１１が接続されている。ここにおいて、お出迎え時間帯以外では、周囲が点灯開始照度よりも明るいときに瞬時連続操作が行われても、その瞬時連続操作は無効として扱われ、周囲が点灯開始照度よりも暗いときに瞬時連続操作が行われると、照明負荷Ｌを点灯させ、点灯開始から１５時間が経過すると自動的に操作前の状態に戻るようになっている。また、お出迎え時間帯では、周囲照度に関係なく瞬時連続操作が行われると、照明負荷Ｌを点灯させ、点灯開始から２時間経過後に周囲が点灯開始照度よりも明るければ自動的に操作前の状態に戻るようになっている。また、連続入モード若しくは切モードが選択されている場合には瞬時連続操作は無効として扱われるようになっている。
【００４５】
次に、このお出迎え機能付感熱自動スイッチＡの動作を図２（ａ）（ｂ）を参照して説明する。図２（ａ）は人感センサ１による人体検知の有無を、（ｂ）は照明負荷Ｌの状態（０％のときは消灯、１０％，３０％のときは定格点灯時の１０％，３０％の光出力となるように調光点灯され、１００％のときは定格点灯される）をそれぞれ示している。
【００４６】
先ず、お出迎え時間帯が設定されている場合について説明する。周囲照度が点灯開始照度設定部８により設定された点灯開始照度よりも暗くなって（周囲照度が「暗」の状態）、お出迎え時間帯が開始されると、信号処理部４は、人感センサ１の出力に関係なく照明負荷Ｌを１０％の光出力で調光点灯させ、人感センサ１により人が検知されると照明負荷Ｌを定格点灯させる。その後、動作保持時間が終了すると、信号処理部４は、負荷制御部６によりトライアックの導通角を変化させて、照明負荷Ｌの光出力を１０％に低下させ、お出迎え時間帯が終了すると照明負荷を消灯させる。
【００４７】
また、お出迎え時間帯が設定されていない場合やお出迎え時間帯が終了した場合には、周囲照度が点灯開始照度よりも暗い状態（周囲照度が「暗」の状態）で人感センサ１により人体が検知されると、信号処理部４が負荷制御部６を用いて照明負荷Ｌを定格点灯させ、動作保持時間の途中（動作保持時間が終了する約６秒前の時点）で照明負荷Ｌの光出力を３０％に低下させることによって消灯が近づいた予告を行う（以下、予告減光という）。その後、動作保持時間が終了すると、信号処理部４は負荷制御部６により照明負荷Ｌを消灯させる。尚、図示は省略するが、動作保持時間中に人感センサ１が人の動きを検出したときには動作保持時間が延長されるようになっている。また、周囲照度が点灯開始照度よりも明るい状態（周囲照度が「明」の状態）では人感センサ１により人体が検知されても照明負荷Ｌは点灯しない。なお、予告減光中に人感センサ１により人が検出されたときには、再び定格点灯状態に移行する。
【００４８】
上述のように本実施形態では、お出迎え時間帯以外で人感センサ１により検知領域内の人の存在が検知されると、信号処理部４が負荷制御部６により照明負荷Ｌを調光点灯させているので、真夜中など周囲が暗い場合に人が人感センサ１の検知領域内に入った際に、照明負荷Ｌが定格出力で点灯されることがなく、人によっては眩しく感じて、目が眩んだり、驚いてしまうという不具合を防止できる。
【００４９】
尚、本実施形態ではお出迎え時間帯以外で点灯する際の調光レベルを予め設定した調光レベルとしているが、図１０に示すように外部から入力される電圧信号などの調光信号に基づいて調光レベルを設定する調光レベル設定部１３を設け、お出迎え時間帯以外で点灯する際には調光レベル設定部１３により設定された調光レベルで調光点灯するようにしても良い。また、図１１に示すように外部から入力される電圧信号などの調光信号に基づいて調光レベルを設定する調光レベル設定部１３を設けるとともに、信号処理部４に現在の時間をカウントする２４時間タイマ（以下、タイマと称す）４ａを内蔵させ、信号処理部４が、タイマ４ａによりカウントされる現在の時間と、調光レベル設定部１３の設定値とをもとに、お出迎え時間帯以外で点灯させる際の調光レベルを決定して、照明負荷Ｌを調光点灯するようにしても良く、例えば真夜中のみ調光点灯させるなど時間帯に応じて光出力を自動的に変化させることができる。また、信号処理部４が、タイマ４ａによりカウントされる現在の時間のみから、お出迎え時間帯以外で点灯させる際の調光レベルを決定して、照明負荷Ｌを調光点灯するようにしても良い。
【００５０】
（実施形態２）
本発明の実施形態２を図１２及び図１３に基づいて説明する。尚、お出迎え機能付感熱自動スイッチの基本的な構成及びその動作は実施形態１と同様であるので、同一の構成要素には同一の符号を付してその説明は省略し、本実施形態の特徴である部分のみを以下に説明する。
【００５１】
上述した実施形態１では、お出迎え時間帯の開始時間を、明るさセンサ２の検出した周囲の照度が、点灯開始照度設定部８で設定された点灯開始照度よりも暗くなった時間としているのに対して、本実施形態では、明るさセンサ２の検出した周囲の照度が、点灯開始照度設定部８で設定された点灯開始照度よりも暗くなってから、人感センサ１が初めて人を検知した時間としている。
【００５２】
図１２の（ａ）は実施形態１の場合のお出迎え時間帯を、（ｂ）は本実施形態の場合のお出迎え時間帯をそれぞれ示し、実施形態１の感熱自動スイッチでは、周囲照度が点灯開始照度よりも暗くなった時刻ｔ１でお出迎え時間帯が開始しているため、家人が不在で人感センサ１の検知領域に人が入るはずのない日でも照明負荷Ｌが調光点灯されるため、無駄に電力が消費されていた。それに対して、本実施形態では周囲照度が点灯開始照度よりも暗くなってから、初めて人感センサ１が人を検知した時刻ｔ２でお出迎え時間帯が開始しているので、人がいる場合のみお出迎え点灯を行わせることができ、電力が無駄に消費されるのを防止できる。
【００５３】
尚、図１３に示すようにお出迎え時間の開始時刻を、明るさセンサ２の検出した明るさが所定の点灯開始照度よりも暗くなった時間、又は、明るさセンサ２の検出した明るさが所定の点灯開始照度よりも暗くなってから人感センサ１が初めて人の存在を検知した時間の何れかに切り替えるお出迎え開始時間切替部１４（切替手段）を設け、お出迎え開始時間切替部１４の切替操作に応じて、信号処理部４がお出迎え時間の開始時刻を切り替えるようにしても良く、感熱自動スイッチの用途等に応じてお出迎え時間の開始時刻を使い分けることができ、また感熱自動スイッチの品種を集約することができる。
【００５４】
（実施形態３）
本発明の実施形態３を図１４乃至図１６に基づいて説明する。尚、お出迎え機能付感熱自動スイッチの基本的な構成及びその動作は実施形態１と同様であるので、同一の構成要素には同一の符号を付してその説明は省略し、本実施形態の特徴である部分のみを以下に説明する。
【００５５】
図１４は実施形態１の感熱自動スイッチによるお出迎え時間中の点灯照度と周囲照度と全体照度との関係を示し、図中のａは点灯照度を、ｂは周囲照度を、ｃは全体照度を夫々示している。上述のように実施形態１では、お出迎え時間中に人感センサ１が人を検知した場合、信号処理部４が照明負荷Ｌを予め設定した一定の調光レベルで点灯させているため、時間帯が遅くなるにつれて周囲照度が暗くなると、全体照度も徐々に暗くなり、時間帯によって変化していた。
【００５６】
そこで本実施形態では、信号処理部４が、明るさセンサ２の検出した周囲の照度をもとに、全体照度が予め設定した照度となるように照明負荷Ｌの点灯出力を変化させており、お出迎え時間中に照明負荷Ｌを点灯させた場合の全体照度を時間に関係なく略一定とすることができる。図１５は本実施形態の感熱自動スイッチによるお出迎え時間中の点灯照度と周囲照度と全体照度との関係を示し、図中のａは点灯照度を、ｂは周囲照度を、ｃは全体照度を夫々示している。このように、時間帯が遅くなるにつれて周囲照度が徐々に暗くなっているので、照明負荷Ｌの点灯照度を徐々に明るくすることで、時間帯に関係なく全体照度を略一定としている。
【００５７】
尚、図１６に示すように外部から入力される電圧信号などの設定信号に基づいて全体照度を設定する全体照度設定部１５を設け、信号処理部４が、全体照度設定部１５の設定値をもとに、お出迎え時間帯中に照明負荷Ｌを点灯させる場合の全体照度をｃ，ｃ′，ｃ″のように所望の照度に設定できるようにしても良い。
【００５８】
（実施形態４）
上述した実施形態１では、スイッチ本体に、点灯開始照度設定部８と、動作保持時間設定部９とお出迎え時間設定部１０と、１−２操作機能有無設定部１１とを設けているが、天井取付形や軒下取付形の場合にはスイッチ本体が高所に設置されるため、施工後に設定値を変更する作業がやりにくいという問題がある。
【００５９】
そこで、本実施形態の感熱自動スイッチＡでは、図１７のブロック図に示すように、実施形態１の感熱自動スイッチＡにおいて、外部設定器としてのワイヤレス設定器Ｃから赤外線のような光信号からなるワイヤレス信号で送信された設定信号を受信するワイヤレス信号受信部１６を設け、信号処理部４がワイヤレス信号受信部１６の受信した設定信号に基づいて動作保持時間、お出迎え時間、点灯開始照度、１−２操作機能有無などのお出迎え機能に関わる設定を行うようにしている。尚、ワイヤレス信号受信部１６以外の構成は実施形態１と同様であるので、同一の構成要素には同一の符号を付して、その説明は省略する。
【００６０】
上述のように本実施形態では感熱自動スイッチＡにワイヤレス信号受信部１６を設けており、図１８に示すようにワイヤレス設定器Ｃの操作部９１〜９３（入力操作部）を操作すると、ワイヤレス設定器Ｃの内蔵するワイヤレス送信部（図示せず）から各種の設定信号がワイヤレス信号にて送信されるから、このワイヤレス信号をワイヤレス信号受信部１６で受信することで、ワイヤレス信号の届く範囲であればワイヤレス設定器Ｃを所望の場所に持っていって、遠隔から各種の設定値の設定作業を行うことができ、施工後でも各種の設定作業を容易に行える。
【００６１】
ところで、ワイヤレス信号受信部１６をスイッチ本体に設けた場合はワイヤレス信号の受光部をフランジ部３１の下面に設ける必要があるから、その分だけフランジ部３１の厚みが厚くなる。そこで、ワイヤレス設定器Ｃからのワイヤレス信号を受信するワイヤレス信号受信部１６（設定値入力部）を、スイッチ本体とは別体に形成され天井面に配置される器体の内部に収納しても良く、これによりフランジ部３１の厚みを薄くして、スイッチ本体のデザイン性を向上させることができる。
【００６２】
（実施形態５）
本実施形態のお出迎え機能付感熱自動スイッチのブロック図を図１９に、全体の構成図を図２０に夫々示す。
【００６３】
上述した実施形態４では、ワイヤレス設定器Ｃからワイヤレス信号にて送信される設定信号を受信するワイヤレス信号受信部１６を設けているのに対して、本実施形態では、ワイヤレス信号受信部１６の代わりに、信号線Ｌ１を介して接続された壁操作ユニットＤからの設定信号が入力される設定信号入力部１７を設け、信号処理部４が設定信号入力部１７に入力された設定信号に基づいて動作保持時間、お出迎え時間、点灯開始照度などの設定を行うようにしている。尚、設定信号入力部１７以外の構成は実施形態１と同様であるので、同一の構成要素には同一の符号を付して、その説明は省略する。
【００６４】
壁操作ユニットＤには、入力操作部として回転位置に応じた設定信号をそれぞれ発生する動作保持時間設定摘み９４、お出迎え時間設定摘み９５、点灯開始照度設定摘み９６が設けられており、これらの設定摘み９４〜９６を操作すると、操作ユニットＤの内蔵する設定値出力部（図示せず）から信号線Ｌ１を介して感熱自動スイッチＡに各種の設定信号が出力されるから、この設定信号が設定信号入力部１７に入力されることで、遠隔から各種の設定値の設定作業を行うことができ、施工後でも各種の設定作業を容易に行える。尚、図２１に示すように壁操作ユニットＤに押釦スイッチの操作部９７を設け、操作部９７を押す回数に応じた設定信号を信号線Ｌ１を介して感熱自動スイッチＡに出力するようにしても良く、この設定信号が設定信号入力部１７に入力されることで、遠隔から各種の設定値の設定作業を行うことができる。尚、壁操作ユニットＤは適宜の取付手段（例えば埋込配線器具用の取付枠や取付ねじなど）を用いて建物の壁に取り付けられるようになっている。
【００６５】
ここで、壁操作ユニットＤからの設定信号が入力される設定信号入力部１７を、スイッチ本体とは別体に形成され天井面に配置される器体の内部に収納しても良く、その分だけスイッチ本体の大きさを小型にできるという利点がある。
【００６６】
尚、上述した各実施形態では屋内の天井に取り付けられる構造を有するものを例に説明を行ったが、感熱自動スイッチＡの構造を上記のものに限定する趣旨のものではなく、屋内の壁に取り付けて使用する壁取付形のものや、軒下に取り付けられる軒下取付形のものや、勝手口、外玄関、ポーチなどの壁に取り付けて使用する屋側取付形のものでも良い。
【００６７】
【発明の効果】
上述のように、請求項１の発明は、検知領域における人の存否を検出する人感センサと、人感センサにより検知領域内の人の存在が検知されると別途に設けられた照明器具の照明負荷を点灯させる制御信号を出力する信号処理部と、制御信号に応じて照明器具の照明負荷の状態を制御する負荷制御部と、人感センサの検知出力に関わりなく照明負荷を強制的に点灯させる時間帯を設定するお出迎え時間設定部とを備え、信号処理部は、お出迎え時間帯が開始されると照明負荷を点灯させてお出迎え時間帯が終了すると照明負荷を消灯させるように負荷制御部へ指示するお出迎え機能と、お出迎え時間帯以外で人感センサにより検知領域内の人の存在が検知されると負荷制御部により照明負荷を調光点灯させる機能とを有することを特徴とし、お出迎え時間帯以外で人感センサが人の存在を検知すると、信号処理部が負荷制御部を用いて照明負荷を調光点灯させているので、消灯状態から急激に明るくなることがなく、検知領域に入った人が眩しさを感じるのを防止でき、且つ照明負荷を定格点灯させる場合に比べて消費電力を低減できるという効果がある。
【００６８】
請求項２の発明は、請求項１の発明において、信号処理部は、外部から入力された調光レベル設定信号に応じて、お出迎え点灯時間帯以外で照明負荷を調光点灯する際の光出力を変化させることを特徴とし、所望の光出力で点灯させることができる。
【００６９】
請求項３の発明は、請求項１又は請求項２の発明において、現在の時間をカウントする２４時間タイマを設け、信号処理部は、２４時間タイマによりカウントされる現在の時間をもとに、お出迎え点灯時間帯以外で照明負荷を調光点灯する際の光出力を変化させることを特徴とし、例えば真夜中のみ調光点灯させるなど時間帯に応じて光出力を自動的に変化させることができる。
【００７０】
請求項４の発明は、請求項１乃至請求項３の何れかの発明において、周囲の明るさを検出する明るさセンサを備え、お出迎え時間帯の開始時間を、明るさセンサの検出した明るさが所定の点灯開始照度よりも暗くなってから、人感センサが初めて人の存在を検知した時間とすることを特徴とし、周囲が点灯開始照度より暗くなるとお出迎え時間帯が開始されるようにした場合、お出迎え時間中はたとえ人がいなくても照明負荷が点灯されるので、電力が無駄に消費されるが、人感センサが初めて人を検知するとお出迎え時間帯を開始するようにしているので、人が検知領域内に現れる可能性の高い場合のみお出迎え時間帯に移行して、照明負荷を点灯させることができ、電力が無駄に消費されるのを防止できる。
【００７１】
請求項５の発明は、請求項１乃至請求項３の何れかの発明において、周囲の明るさを検出する明るさセンサと、お出迎え時間帯の開始時間を明るさセンサの検出した明るさが所定の点灯開始照度よりも暗くなった時間、又は、明るさセンサの検出した明るさが所定の点灯開始照度よりも暗くなってから人感センサが初めて人の存在を検知した時間の何れかに切り替える切替手段とを備えて成ることを特徴とし、用途等に応じてお出迎え時間帯の開始時間を切り替えることができる。
【００７２】
請求項６の発明は、請求項１の発明において、周囲の明るさを検出する明るさセンサを備え、負荷制御部は、お出迎え点灯時間帯以外で照明負荷を調光点灯する際に、明るさセンサの検出した明るさをもとに、周囲の明るさが所定の設定照度になるように照明負荷の光出力を制御することを特徴とし、お出迎え時間帯以外で照明負荷を調光点灯させる場合に、点灯時の全体の照度を略一定にできる。
【００７３】
請求項７の発明は、請求項５の発明において、負荷制御部は、お出迎え点灯時間帯以外で照明負荷を調光点灯する際に、外部から入力された照度設定信号と、明るさセンサの検出した明るさとをもとに、周囲の明るさが照度設定信号による設定照度になるように照明負荷の光出力を制御することを特徴とし、お出迎え時間帯以外で照明負荷を点灯させる場合に、点灯時の全体の照度を所望の設定照度で一定させることができる。
【００７４】
請求項８の発明は、請求項１の発明において、スイッチ本体と別体に形成され遠隔に設置される外部設定器に、お出迎え機能に関わる設定値を入力するための入力操作部を設けたことを特徴とし、遠隔に設けた外部設定器の入力操作部を用いてお出迎え機能に関わる設定値を設定することができる。
【００７５】
請求項９の発明は、請求項８の発明において、外部設定器とスイッチ本体との間を信号線で接続し、外部設定器に、入力操作部を用いて入力された設定値を信号線を介してスイッチ本体に出力する設定値出力部を設けるとともに、スイッチ本体に、信号線を介して設定値が入力される設定値入力部を設けたことを特徴とし、請求項８の発明と同様の効果がある。
【００７６】
請求項１０の発明は、請求項８の発明において、外部設定器に、入力操作部を用いて入力された設定値をワイヤレス信号にて外部へ送信するワイヤレス送信部を設けるとともに、スイッチ本体に、ワイヤレス信号にて送信された設定値を受信するワイヤレス受信部を設けたことを特徴とし、ワイヤレス信号の届く範囲であれば外部設定器を所望の場所に持っていって、遠隔からお出迎え機能に関わる設定値を設定できるという効果がある。
【００７７】
請求項１１の発明は、請求項９の発明において、外部設定器に、建物の壁に取り付けるための取付手段を設けたことを特徴とし、請求項９の効果に加えて、外部設定器を壁に取り付けて使用できるという効果がある。
【００７８】
請求項１２の発明は、請求項８乃至請求項１１の何れかの発明において、外部設定器の入力操作部は押釦スイッチにより構成され、押釦スイッチを押す回数に応じて設定値を変化させることを特徴とし、請求項８乃至請求項１１の発明と同様の効果がある。
【００７９】
請求項１３の発明は、請求項８乃至請求項１２の何れかの発明において、スイッチ本体は天井面に配設されており、外部設定器から出力された設定値が入力される設定値入力部を、スイッチ本体とは別体であって天井面に配設される器体の内部に収納したことを特徴とし、スイッチ本体の内部に設定値入力部を収納する場合に比べて、設定値入力部の収納スペースだけスイッチ本体を小型にでき、スイッチ本体のデザイン性を高めることができる。
【図面の簡単な説明】
【図１】実施形態１のお出迎え機能付感熱自動スイッチのブロック図である。
【図２】（ａ）（ｂ）は同上の動作説明図である。
【図３】同上を示し、（ａ）は正面図、（ｂ）は側面図、（ｃ）は下面図である。
【図４】同上を示し、化粧カバーを外した状態の下面図である。
【図５】同上を示し、下面側から見た分解斜視図である。
【図６】同上の検知領域の説明図である。
【図７】同上の要部拡大図である。
【図８】同上の要部拡大図である。
【図９】同上の要部拡大図である。
【図１０】同上の別のお出迎え機能付感熱自動スイッチのブロック図である。
【図１１】同上のまた別のお出迎え機能付感熱自動スイッチのブロック図である。
【図１２】（ａ）（ｂ）は実施形態１、２のお出迎え機能付感熱自動スイッチの動作を説明するタイムチャートである。
【図１３】実施形態２のお出迎え機能付感熱自動スイッチのブロック図である。
【図１４】実施形態１のお出迎え機能付感熱自動スイッチによる点灯照度と周囲照度と全体照度との関係を示す図である。
【図１５】実施形態３のお出迎え機能付感熱自動スイッチによる点灯照度と周囲照度と全体照度との関係を示す図である。
【図１６】同上のブロック図である。
【図１７】実施形態４のお出迎え機能付感熱自動スイッチのブロック図である。
【図１８】同上の全体構成図である。
【図１９】実施形態５のお出迎え機能付感熱自動スイッチのブロック図である。
【図２０】同上の全体構成図である。
【図２１】同上の全体構成図である。
【図２２】（ａ）〜（ｃ）は従来の感熱自動スイッチの動作説明図である。
【符号の説明】
Ａ　お出迎え機能付感熱自動スイッチ
Ｌ　照明負荷
１　人感センサ
４　信号処理部
６　負荷制御部
【図１】
2004031094.tif 000004
【図２】
2004031094.tif 000005
【図３】
2004031094.tif 000006
【図４】
2004031094.tif 000007
【図５】
2004031094.tif 000008
【図６】
2004031094.tif 000009
【図７】
2004031094.tif 000010
【図８】
2004031094.tif 000011
【図９】
2004031094.tif 000012
【図１０】
2004031094.tif 000013
【図１１】
2004031094.tif 000014
【図１２】
2004031094.tif 000015
【図１３】
2004031094.tif 000016
【図１４】
2004031094.tif 000017
【図１５】
2004031094.tif 000018
【図１６】
2004031094.tif 000019
【図１７】
2004031094.tif 000020
【図１８】
2004031094.tif 000021
【図１９】
2004031094.tif 000022
【図２０】
2004031094.tif 000023
【図２１】
2004031094.tif 000024
【図２２】
2004031094.tif 000025